(57)【要約】【課題】端末装置がＧＰＳ衛星からの電波を受信することができない場合であっても、端末装置の位置を好適に推定する。【手段】位置推定装置（２０）は、端末装置（２０）が集音している音声を示す音声情報を取得する第１取得手段（２２）と、音声情報の特性が所定の特性と一致するか否かを判定する判定手段（２４）と、判定手段の判定結果に基づいて、端末装置の位置を推定する推定手段（２５）とを備える。【選択図】図１
2015148441.tif 000002
【特許請求の範囲】
【請求項１】
端末装置が集音している音声を示す音声情報を取得する第１取得手段と、
前記音声情報の特性が所定の特性と一致するか否かを判定する判定手段と、
前記判定手段の判定結果に基づいて、前記端末装置の位置を推定する推定手段と
を備えることを特徴とする位置推定装置。
【請求項２】
前記所定の特性は、所定の楽曲の特性であり、
前記推定手段は、前記音声情報の特性が前記所定の楽曲の特性と一致すると判定される場合に、前記所定の楽曲が再生されている特定地点に前記端末装置が位置していると推定する
ことを特徴とする請求項１に記載の位置推定装置。
【請求項３】
前記所定の特性は、特定地点に位置している再生装置が再生している所定の楽曲の特性であり、
前記推定手段は、前記音声情報の特性が前記所定の楽曲の特性と一致すると判定される場合に、前記再生装置が位置している前記特定地点に前記端末装置が位置していると推定する
ことを特徴とする請求項１又は２に記載の位置推定装置。
【請求項４】
前記所定の特性を示す特性情報及び前記所定の特性に対応付けられた特定地点を示す位置情報を取得する第２取得手段を更に備え、
前記判定手段は、前記音声情報の特性が、前記特性情報が示す前記所定の特性と一致するか否かを判定し、
前記推定手段は、前記音声情報の特性が前記所定の特性と一致すると判定される場合に、前記位置情報が示す前記特定地点に前記端末装置が位置していると推定する
ことを特徴とする請求項１から３のいずれか一項に記載の位置推定装置。
【請求項５】
前記第２取得手段は、当該位置推定装置とネットワークを介して接続された外部機器から前記特性情報及び前記位置情報を取得する
ことを特徴とする請求項４に記載の位置推定装置。
【請求項６】
端末装置が集音している音声を示す音声情報を取得する第１取得工程と、
前記音声情報の特性が所定の特性と一致するか否かを判定する判定工程と、
前記判定工程の判定結果に基づいて、前記端末装置の位置を推定する推定工程と
を備えることを特徴とする位置推定方法。
【請求項７】
請求項６に記載の位置推定方法をコンピュータに実行させることを特徴とするコンピュータプログラム。
【発明の詳細な説明】
【技術分野】
【０００１】
本発明は、端末装置等の位置を推定する位置推定装置及び方法、並びにこのような位置推定装置に用いられるコンピュータプログラムに関する。
【背景技術】
【０００２】
端末装置の位置を推定する技術の代表例として、ＧＰＳ（Ｇｌｏｂａｌ  Ｐｏｓｉｔｉｏｎｉｎｇ  Ｓｙｓｔｅｍ）が広く知られている。ＧＰＳを利用する場合には、端末装置は、少なくとも３つ以上のＧＰＳ衛星からの電波を受信すると共に受信した電波に含まれる各ＧＰＳ衛星の位置座標から端末装置の位置座標を算出することで、端末装置の位置を推定している。
【０００３】
尚、端末装置の位置を推定する技術を直接的に開示する文献ではないものの、本願発明に関連する先行技術文献として、特許文献１及び特許文献２がある。特許文献１には、入力された映像信号に基づいて生成される映像特徴量と予め記憶された映像特徴量との類似度を判定することで、映像表示端末が表示している番組を特定する技術が開示されている。特許文献２には、受信局から受信した物理的信号情報から位置情報を導き出すと共に、当該位置情報に基づく情報をモバイル通信端末に配信する技術が開示されている。
【先行技術文献】
【特許文献】
【０００４】
【特許文献１】特開２００５−１１２９４号公報
【特許文献２】特開２００８−５１２０３９号公報
【発明の開示】
【発明が解決しようとする課題】
【０００５】
ＧＰＳを利用するためには、端末装置は、ＧＰＳ衛星からの電波を受信できる環境に位置していなければならない。しかしながら、ＧＰＳ衛星からの電波を受信できる環境に端末装置が常に位置しているとは限らない。例えば、端末装置が建物の内部や地下に位置している場合には、端末装置がＧＰＳ衛星からの電波を受信することができないがゆえに、端末装置の位置を推定することが困難になるおそれがある。
【０００６】
本発明が解決しようとする課題には上記のようなものが一例として挙げられる。本発明は、ＧＰＳを用いることなく端末装置の位置を好適に推定することが可能な位置推定装置及び方法、並びにコンピュータをこのような位置推定装置として実行させるコンピュータプログラムを提供することを課題とする。
【課題を解決するための手段】
【０００７】
上記課題を解決するために本発明の位置推定装置は、端末装置が集音している音声を示す音声情報を取得する第１取得手段と、前記音声情報の特性が所定の特性と一致するか否かを判定する判定手段と、前記判定手段の判定結果に基づいて、前記端末装置の位置を推定する推定手段とを備える。
【０００８】
上記課題を解決するために本発明の位置推定方法は、端末装置が集音している音声を示す音声情報を取得する第１取得工程と、前記音声情報の特性が所定の特性と一致するか否かを判定する判定工程と、前記判定工程の判定結果に基づいて、前記端末装置の位置を推定する推定工程とを備える。
【０００９】
上記課題を解決するために本発明のコンピュータプログラムは、本発明の位置推定方法をコンピュータに実行させる。
【００１０】
本発明のこのような作用及び利得は次に説明する実施の形態から明らかにされる。
【図面の簡単な説明】
【００１１】
【図１】本実施例の位置推定システムの基本構成を概念的に示すブロック図である。
【図２】本実施例のＤＪ機器の動作の流れを示すフローチャートである。
【図３】本実施例の携帯端末の動作の流れを示すフローチャートである。
【図４】第１変形例の位置推定システムの基本構成を概念的に示すブロック図である。
【図５】第１変形例のＤＪ機器の動作の流れを示すフローチャートである。
【図６】第１変形例の携帯端末の動作の流れを示すフローチャートである。
【図７】第２変形例の位置推定システムの基本構成を概念的に示すブロック図である。
【発明を実施するための形態】
【００１２】
以下、発明を実施するための形態として、本発明の位置推定装置及び方法、並びにコンピュータプログラムの夫々に係る実施形態について順に説明する。
【００１３】
（位置推定装置の実施形態）
＜１＞
本実施形態の位置推定装置は、端末装置が集音している音声を示す音声情報を取得する第１取得手段と、前記音声情報の特性が所定の特性と一致するか否かを判定する判定手段と、前記判定手段の判定結果に基づいて、前記端末装置の位置を推定する推定手段とを備える。
【００１４】
本実施形態の位置推定装置は、端末装置の位置を推定することができる。例えば、本実施形態の位置推定装置は、端末装置が特定地点に位置しているか否かを推定することができる。端末装置の位置を推定するために、本実施形態の位置推定装置は、第１取得手段と、判定手段と、推定手段とを備えている。
【００１５】
第１取得手段は、音声情報を取得する。ここで、第１取得手段が取得する音声情報は、端末装置が集音している音声（例えば、端末装置が備えるマイク等の集音手段を用いて集音している音声）を直接的に又は間接的に示す情報である。つまり、第１取得手段は、端末装置が集音している音声を何らかの形式で特定することが可能な任意の情報を、音声情報として取得してもよい。例えば、第１取得手段は、端末装置が集音している音声を、音声情報として取得してもよい。例えば、第１取得手段は、端末装置が集音している音声に対して所定の処理を施すことで得られる情報を、音声情報として取得してもよい。
【００１６】
判定手段は、第１取得手段によって取得された音声情報の特性（言い換えれば、音声情報の特徴であり、例えば、音声情報が示す音声の名称や曲調やテンポ等）が所定の特性と一致するか否かを判定する。つまり、判定手段は、第１取得手段によって取得された音声情報が所定の特性を有しているか否かを判定する。例えば、特性がテンポである場合には、判定手段は、第１取得手段によって取得された音声情報のテンポが、「ＡＡ」という所定のテンポと一致するか否かを判定してもよい。例えば、特性が曲調である場合には、判定手段は、第１取得手段によって取得された音声情報の曲調が、「ＢＢ」という所定の曲調と一致するか否かを判定してもよい。もちろん、特性がテンポ及び曲調以外の任意の特性である場合においても同様に、判定手段は、音声情報の特性が所定の特性と一致するか否かを判定する。
【００１７】
推定手段は、判定手段の判定結果に基づいて、端末装置（つまり、音声を集音している端末装置）の位置を推定する。例えば、推定手段は、判定手段の判定結果が第１の判定結果である場合には、端末装置が特定地点に位置していると推定してもよい。例えば、推定手段は、判定手段の判定結果が第１の判定結果ではない場合には、端末装置が特定地点に位置していないと推定してもよい。例えば、推定手段は、判定手段の判定結果が第１の判定結果である場合には、端末装置が第１特定地点に位置していると推定してもよい。例えば、推定手段は、判定手段の判定結果が第１の判定結果とは異なる第２判定結果である場合には、端末装置が第１特定地点とは異なる第２特定地点に位置していると推定してもよい。
【００１８】
ここで、特定地点で流れている音声は、何かしらの固有の特性（言い換えれば、特徴）を有していることが多い。従って、集音した音声がこのような何かしらの固有の特性を有している場合には、当該音声を集音している端末装置は、このような音声が流れている特定地点に位置している可能性が高いと推定される。例えば、端末装置が集音している音声が、特定地点に位置するクラブで流れているある楽曲に固有の特性を有している場合には、端末装置は、当該ある楽曲が流れているクラブ（つまり、特定地点）に位置する可能性が高いと推定される。このような理由から、本実施形態の位置推定装置は、端末装置が集音している音声を示す音声情報の特性が所定の特性と一致するか否かの判定結果に基づいて、端末装置の位置を好適に推定することができる。
【００１９】
加えて、本実施形態の位置推定装置は、ＧＰＳを利用しなくとも、端末装置の位置を好適に推定することができる。従って、本実施形態の位置推定装置は、端末装置がＧＰＳ衛星からの電波を受信することができない場合であっても、端末装置の位置を好適に推定することができる。
【００２０】
＜２＞
本実施形態の位置推定装置の他の態様では、前記所定の特性は、所定の楽曲の特性であり、前記推定手段は、前記音声情報の特性が前記所定の楽曲の特性と一致すると判定される場合に、前記所定の楽曲が再生されている特定地点に前記端末装置が位置していると推定する。
【００２１】
この態様によれば、位置推定装置は、端末装置が集音している音声を示す音声情報の特性が所定の楽曲の特性と一致するか否かの判定結果に基づいて、端末装置の位置を好適に推定することができる。具体的には、例えば、音声情報の特性が所定の楽曲の特性と一致する場合には、音声情報が示す音声を集音している端末装置は、当該所定の楽曲が再生されている特定地点に位置する可能性が高いと推定される。従って、位置推定装置は、端末装置が集音している音声を示す音声情報の特性が所定の楽曲の特性と一致するか否かの判定結果に基づいて、楽曲が再生されている特定地点に端末装置が位置しているか否かを好適に推定することができる。
【００２２】
尚、音声情報の特性と所定の楽曲の特性との一致は、実質的には、音声情報と所定の楽曲との一致に相当していてもよい。従って、判定手段は、音声情報（言い換えれば、端末装置が集音している音声）が所定の楽曲と一致するか否かを判定してもよい。推定手段は、音声情報が所定の楽曲と一致すると判定される場合に、所定の楽曲が再生されている特定地点に端末装置が位置していると推定してもよい。
【００２３】
＜３＞
本実施形態の位置推定装置の他の態様では、前記所定の特性は、特定地点に位置している再生装置が再生している所定の楽曲の特性であり、前記推定手段は、前記音声情報の特性が前記所定の楽曲の特性と一致すると判定される場合に、前記再生装置が位置している前記特定地点に前記端末装置が位置していると推定する。
【００２４】
この態様によれば、位置推定装置は、端末装置が集音している音声を示す音声情報の特性が、特定地点に位置している再生装置が再生している所定の楽曲の特性と一致するか否かの判定結果に基づいて、端末装置の位置を好適に推定することができる。具体的には、例えば、音声情報の特性が、特定地点に位置している再生装置が再生している所定の楽曲の特性と一致する場合には、音声情報が示す音声を集音している端末装置は、当該所定の楽曲を再生している再生装置が位置している特定地点に位置する可能性が高いと推定される。従って、位置推定装置は、端末装置が集音している音声を示す音声情報の特性が、特定地点に位置している再生装置が再生している所定の楽曲の特性と一致するか否かの判定結果に基づいて、再生装置が位置している特定地点に端末装置が位置しているか否かを好適に推定することができる。
【００２５】
＜４＞
本実施形態の位置推定装置の他の態様では、前記所定の特性を示す特性情報及び前記所定の特性に対応付けられた特定地点を示す位置情報を取得する第２取得手段を更に備え、前記判定手段は、前記音声情報の特性が、前記特性情報が示す前記所定の特性と一致するか否かを判定し、前記推定手段は、前記音声情報の特性が前記所定の特性と一致すると判定される場合に、前記位置情報が示す前記特定地点に前記端末装置が位置していると推定する。
【００２６】
この態様によれば、第２取得手段は、特性情報及び位置情報のセットを取得する。このため、位置推定装置は、判定手段が参照する「所定の特性」と推定手段が端末装置の位置として推定する「特定地点」との対応付けを好適に認識することができる。つまり、位置推定装置は、音声情報の特性と特性情報が示す所定の特性とが一致する場合には、端末装置は、当該特性情報と対応付けられている位置情報が示す特定地点に位置すると推定することができる。従って、位置推定装置は、端末装置の位置をより一層好適に推定することができる。
【００２７】
尚、音声情報の特性が所定の楽曲の特性と一致すると判定される場合に所定の楽曲が再生されている特定地点に端末装置が位置していると推定する位置推定装置では、第２取得手段は、特性情報及び位置情報として、所定の楽曲の特性を示す特性情報及び所定の楽曲が再生されている特定地点を示す位置情報を取得することが好ましい。また、音声情報の特性が所定の楽曲の特性と一致すると判定される場合に再生装置が位置している特定地点に端末装置が位置していると推定する位置推定装置では、第２取得手段は、特性情報及び位置情報として、再生装置が再生している所定の楽曲の特性を示す特性情報及び当該再生装置が位置している特定地点を示す位置情報を取得することが好ましい。
【００２８】
＜５＞
上述の如く第２取得手段を備える位置推定装置の他の態様では、前記第２取得手段は、当該位置推定装置とネットワークを介して接続された外部機器から前記特性情報及び前記位置情報を取得する。
【００２９】
この態様によれば、第２取得手段は、特性情報及び位置情報を好適に取得することができる。
【００３０】
（位置推定方法の実施形態）
＜６＞
本実施形態の位置推定方法は、端末装置が集音している音声を示す音声情報を取得する第１取得工程と、前記音声情報の特性が所定の特性と一致するか否かを判定する判定工程と、前記判定工程の判定結果に基づいて、前記端末装置の位置を推定する推定工程とを備える。
【００３１】
本実施形態の位置推定方法によれば、上述した本実施形態の位置推定装置が有する各種利益と同様の利益を享受することが可能となる。尚、上述した本実施形態の位置推定装置における各種態様に対応して、本実施形態の位置推定方法も各種態様を採ることが可能である。
【００３２】
（コンピュータプログラムの実施形態）
＜７＞
本実施形態のコンピュータプログラムは、上述した本実施形態の位置推定方法（但し、その各種態様を含む）をコンピュータに実行させる。
【００３３】
本実施形態のコンピュータプログラムによれば、上述した本実施形態の位置推定装置が有する各種利益と同様の利益を享受することが可能となる。尚、上述した本実施形態の位置推定装置における各種態様に対応して、本実施形態のコンピュータプログラムも各種態様を採ることが可能である。
【００３４】
本実施形態のこのような作用及び他の利得は次に説明する実施例から更に明らかにされる。
【００３５】
以上説明したように、本実施形態の位置推定装置は、第１取得手段、判定手段及び推定手段を備える。本実施形態の位置推定方法は、第１取得工程、判定工程及び推定工程を備える。本実施形態のコンピュータプログラムは、本実施形態の位置推定方法をコンピュータに実行させる。従って、端末装置がＧＰＳ衛星からの電波を受信することができない場合であっても、端末装置の位置を好適に推定することができることができる。
【実施例】
【００３６】
以下、図面を参照しながら、本発明の位置推定装置及び位置推定方法並びにコンピュータプログラムの実施例を説明する。尚、以下では、位置推定装置及び位置推定方法並びにコンピュータプログラムを、「端末装置」の一具体例である携帯端末２０に適用した例を用いて説明を進める。
【００３７】
（１）位置推定システム１の基本構成
初めに、図１を参照しながら、本実施例の位置推定システム１の基本構成について説明を進める。ここに、図１は、本実施例の位置推定システム１の基本構成を概念的に示すブロック図である。
【００３８】
図１に示すように、位置推定システム１は、「再生装置」の一具体例であるＤＪ（Ｄｉｓｃ  Ｊｏｃｋｅｙ）機器１０と、「端末装置」及び「位置推定装置」の一具体例である携帯端末２０とを備える。尚、図１は、位置推定システム１が１つのＤＪ機器１０及び１つの携帯端末２０を備える例を示している。但し、位置推定システム１は、２つ以上のＤＪ機器１０を備えていてもよい。位置推定システム１は、２つ以上の携帯端末２０を備えていてもよい。
【００３９】
以下、ＤＪ機器１０及び携帯端末２０について順に説明する。
【００４０】
（１−１）ＤＪ機器１０の基本構成
ＤＪ機器１０は、クラブやディスコ等の舞踏場において、楽曲に対して様々な特殊効果（イフェクト）を付加しつつ連続的に再生する。このようなＤＪ機器１０は、典型的には、「プレーヤ」の一具体例であるＤＪによって操作される。
【００４１】
図１に示すように、ＤＪ機器１０は、再生部１１と、楽曲取得部１２と、位置登録部１３と、通信部１４とを備えている。
【００４２】
再生部１１は、ＤＪの操作内容に応じた再生態様で、楽曲を再生する。
【００４３】
楽曲取得部１２は、再生部１１が再生する楽曲を示す楽曲情報を取得する。楽曲情報は、再生部１１が再生する楽曲を直接的に示す情報（例えば、音声信号そのもの）であってもよい。楽曲情報は、再生部１１が再生する楽曲を間接的に示す情報（例えば、楽曲の特性を示す情報）であってもよい。以下では、説明の簡略化のため、楽曲情報は、再生部１１が再生する楽曲の特性（例えば、名称やテンポや曲調）を示す情報であるものとする。尚、楽曲情報は、「特性情報」の一具体例である。
【００４４】
位置登録部１３は、ＤＪ機器１０が設置されているロケーションを示す位置情報を登録する。例えば、位置登録部１３は、ＤＪ機器１０が設置されているロケーションを任意の手法で検出することで、位置情報を登録してもよい。或いは、例えば、位置登録部１３は、ＤＪ機器１０に対してマニュアルで入力されるロケーションに関する情報を参照することで、位置情報を登録してもよい。
【００４５】
通信部１４は、有線又は無線のネットワーク４０を介して、携帯端末２０と通信する。特に、本実施例では、通信部１４は、楽曲取得部１２が取得した楽曲情報及び位置登録部１３が登録した位置情報を携帯端末２０に対して送信する。
【００４６】
尚、再生部１１、楽曲取得部１２、位置登録部１３及び通信部１４のうちの少なくとも一つは、ＤＪ機器１０が備えるＣＰＵ（Ｃｅｎｔｒａｌ  Ｐｒｏｃｅｓｓｉｎｇ  Ｕｎｉｔ）上でコンピュータプログラムが実行されることで実現される論理的な処理ブロック（機能ブロック）であってもよい。或いは、再生部１１、楽曲取得部１２、位置登録部１３及び通信部１４のうちの少なくとも一つは、ＤＪ機器１０が備える物理的な回路であってもよい。
【００４７】
（１−２）携帯端末２０の基本構成
図１に示すように、携帯端末２０は、「第２取得手段」の一具体例である通信部２１と、「第１取得手段」の一具体例である集音部２２と、「第１取得手段」の一具体例である楽曲解析部２３と、「判定手段」の一具体例である比較部２４と、「推定手段」の一具体例である位置推定部２５とを備える。
【００４８】
通信部２１は、ネットワーク４０を介して、ＤＪ機器１０と通信する。特に、本実施例では、通信部２１は、ＤＪ機器１０が送信する楽曲情報及び位置情報を受信する。
【００４９】
集音部２２は、携帯端末２０の周囲の音声を集音する。このような集音部２２は、例えばマイクロフォンであってもよい。
【００５０】
楽曲解析部２３は、集音部２２が集音した音声を解析する。例えば、楽曲解析部２３は、集音部２２が集音した音声を解析することで、集音部２２が集音した音声の特性（例えば、名称やテンポや曲調）を取得してもよい。
【００５１】
比較部２４は、楽曲解析部２３の解析結果（例えば、集音部２２が集音した音声の特性）と、通信部２１が受信した楽曲情報（例えば、再生部１１が再生する楽曲の特性）とを比較する。
【００５２】
位置推定部２５は、比較部２４の比較結果に基づいて、携帯端末２０の位置を推定する。以下では、位置推定部２５は、比較部２４の比較結果に基づいて、ＤＪ機器１０が設置されているロケーションに携帯端末２０が位置するか否を推定するものとする。
【００５３】
尚、通信部２１、集音部２２、楽曲解析部２３、比較部２４及び位置推定部２５のうちの少なくとも一つは、携帯端末２０が備えるＣＰＵ上でコンピュータプログラムが実行されることで実現される論理的な処理ブロック（機能ブロック）であってもよい。或いは、通信部２１、集音部２２、楽曲解析部２３、比較部２４及び位置推定部２５のうちの少なくとも一つは、携帯端末２０が備える物理的な回路であってもよい。
【００５４】
（２）位置推定システム１の動作
続いて、図２及び図３を参照しながら、位置推定システム１の動作について説明する。以下では、説明の便宜上、ＤＪ機器１０の動作及び携帯端末２０の動作について順に説明する。
【００５５】
（２−１）ＤＪ機器１０の動作
初めに、図２を参照しながら、ＤＪ機器１０の動作について説明する。図２は、ＤＪ機器１０の動作の流れを示すフローチャートである。
【００５６】
図２に示すように、ＤＪ機器１０が所定のロケーション（例えば、クラブ）に初めて設置される場合には、初期動作として、位置登録部１３は、ＤＪ機器１０が設置されているロケーションを示す位置情報を登録する（ステップＳ１１）。位置登録部１３が登録する位置情報は、ＤＪ機器１０の動作パラメータとして、ＤＪ機器１０が備えるメモリに格納されてもよい。尚、上述したように、位置登録部１３は、任意の方法を用いて位置情報を登録してもよい。
【００５７】
その後、再生部１１は、楽曲を再生する（ステップＳ１２）。例えば、再生部１１は、ＤＪ機器１０に装着される記録媒体（例えば、ＣＤ等の光ディスクや、ＵＳＢメモリ等の半導体メモリ）に記録されている楽曲データを読み込むことで、楽曲を再生してもよい。
【００５８】
このとき、再生部１は、ＤＪの操作内容に応じた再生態様で、楽曲を再生する。例えば、ＤＪ機器１０が備えるターンテーブルを順方向（時計回り）に回す操作をＤＪが行っている場合には、再生部１１は、楽曲をフォワード再生してもよい。例えば、ＤＪ機器１０が備えるターンテーブルを逆方向（反時計回り）に回す操作をＤＪが行っている場合には、再生部１１は、楽曲をリバース再生してもよい。例えば、ＤＪ機器１０が備えるエフェクトボタンをＤＪが押下する操作を行っている場合には、再生部１１は、押下されたエフェクトボタンに応じたエフェクトを付加しながら、楽曲を再生してもよい。
【００５９】
再生部１１による楽曲の再生と並行して、楽曲取得部１２は、再生部１１が再生する楽曲を示す楽曲情報を取得する（ステップＳ１２）。尚、上述したように、楽曲取得部１２は、再生部１１が再生する楽曲の特性（例えば、名称やテンポや曲調）を示す楽曲情報を取得する。例えば、楽曲取得部１２は、ＤＪ機器１０に装着される記録媒体に記録されている楽曲データ（つまり、再生部１１によって読み込まれる楽曲データ）を解析することで、楽曲情報を取得してもよい。或いは、楽曲データ内に楽曲情報が含まれている場合には、楽曲取得部１２は、楽曲データ内に含まれている楽曲情報をそのまま取得してもよい。いずれにせよ、楽曲取得部１２は、再生部１１が再生する楽曲のデフォールトの特性（つまり、ＤＪの操作内容が反映されていない楽曲の特性）を示す楽曲情報を取得する。但し、楽曲取得部１２は、再生部１１が再生している楽曲の特性（つまり、ＤＪの操作内容が反映された楽曲の特性）を示す楽曲情報を取得してもよい。
【００６０】
その後、通信部１４は、携帯端末２０が、ステップＳ１１で位置登録部１３が登録した位置情報及びステップＳ１３で楽曲取得部１２が取得した楽曲情報の送信を要求しているか否かを判定する（ステップＳ１４）。例えば、通信部１４は、携帯端末２０からＤＪ機器１０に対して、位置情報及び楽曲情報の送信を要求する要求メッセージが送信されているか否かを判定してもよい。
【００６１】
ステップＳ１４の判定の結果、携帯端末２０が位置情報及び楽曲情報の送信を要求していると判定される場合には（ステップＳ１４：Ｙｅｓ）、通信部１４は、楽曲情報及び位置情報を携帯端末２０に対して送信する（ステップＳ１５）。尚、通信部１４は、楽曲情報及び位置情報の双方をセットで携帯端末２０に対して送信することが好ましい。つまり、通信部１４は、楽曲情報及び位置情報のうちのいずれか一方を携帯端末２０に対して送信すると共に楽曲情報及び位置情報のうちのいずれか他方を携帯端末２０に対して送信しないという動作を行わないことが好ましい。
【００６２】
（２−２）携帯端末２０の動作
続いて、図３を参照しながら、携帯端末２０の動作について説明する。図３は、携帯端末２０の動作の流れを示すフローチャートである。
【００６３】
図３に示すように、集音部２２は、携帯端末２０の周囲の音声を集音する（ステップＳ２１）。集音部２２は、集音した音声を示す音声信号を、楽曲解析部２２に転送する。
【００６４】
その後、楽曲解析部２３は、集音部２２が集音した音声を解析する（ステップＳ２２）。例えば、楽曲解析部２３は、集音部２２が集音した音声の特性（例えば、名称やテンポや曲調）を算出することが可能な解析処理を、集音部２２が集音した音声を示す音声信号に対して行ってもよい。その結果、楽曲解析部２３は、集音部２２が集音した音声の特性を取得する。楽曲解析部２３は、取得した音声の特性を、比較部２４に転送する。
【００６５】
ステップＳ２１からステップＳ２２までの動作に続いて若しくは相前後して又は並行して、通信部２１は、ＤＪ機器１０に対して、位置情報及び楽曲情報の送信を要求する（ステップＳ２３）。例えば、通信部２１は、ＤＪ機器１０に対して、位置情報及び楽曲情報の送信を要求する要求メッセージを送信してもよい。
【００６６】
このような要求メッセージに応答して、ＤＪ機器１０は、位置情報及び楽曲情報を携帯端末２０に対して送信する（図２のステップＳ１５）。従って、通信部２１は、ＤＪ機器１０が送信する位置情報及び楽曲情報を受信する（ステップＳ２４）。
【００６７】
その後、比較部２４は、ステップＳ２２での楽曲解析部２３の解析結果（つまり、集音部２２が集音した音声の特性）と、ステップＳ２４で通信部２１が受信した楽曲情報（つまり、再生部１１が再生する楽曲の特性）とを比較する（ステップＳ２５）。具体的には、比較部２４は、ステップＳ２２での楽曲解析部２３の解析結果と、ステップＳ２４で通信部２１が受信した楽曲情報とが一致するか否かを判定する（ステップＳ２５）。
【００６８】
ステップＳ２５の判定の結果、楽曲解析部２３の解析結果と楽曲情報とが一致すると判定される場合には（ステップＳ２５：Ｙｅｓ）、集音部２２が集音している音声と、再生部１１が再生している楽曲とが同一である可能性が相対的に高いと推定される。集音部２２が集音している音声と再生部１１が再生している楽曲とが同一である可能性が相対的に高い場合には、音声を集音している携帯端末２０が、楽曲を再生しているＤＪ機器１０が設置されているロケーションに位置する可能性が相対的に高いと推定される。言い換えれば、集音部２２が集音している音声と再生部１１が再生している楽曲とが同一である可能性が相対的に高い場合には、音声を集音している携帯端末２０が、ＤＪ機器１０が再生している楽曲を視聴することができるロケーションに位置する可能性が相対的に高いと推定される。
【００６９】
ＤＪ機器１０が設置されているロケーションは、ＤＪ機器１０から携帯端末２０に対して楽曲情報と共に送信されてくる位置情報によって示されている。従って、楽曲解析部２３の解析結果と楽曲情報とが一致すると判定される場合には（ステップＳ２５：Ｙｅｓ）、位置推定部２５は、ステップＳ２４で通信部３１が受信した位置情報が示すロケーションに、携帯端末２０が位置していると推定する（ステップＳ２６）。つまり、位置推定部２５は、ＤＪ機器１０が設置されているロケーションに、携帯端末２０が位置していると推定する（ステップＳ２６）。
【００７０】
尚、楽曲解析部２３の解析結果と楽曲情報とが一致すると判定される場合には、集音部２２が集音している音声と再生部１１が再生している楽曲とが同一である可能性が相対的に高いと推定されることを考慮すれば、比較部２４は、実質的には、集音部２２が集音している音声と再生部１１が再生している楽曲とが一致するか否かを判定しているとも言える。従って、比較部２４による楽曲解析部２３の解析結果と楽曲情報とが一致するか否かを判定する動作は、実質的には、集音部２２が集音している音声と再生部１１が再生している楽曲とが一致するか否かを判定する動作であると言える。つまり、比較部２４は、集音部２２が集音している音声と再生部１１が再生している楽曲とが一致するか否かを判定していると言える。
【００７１】
他方で、ステップＳ２５の判定の結果、楽曲解析部２３の解析結果と楽曲情報とが一致しないと判定される場合には（ステップＳ２５：Ｎｏ）、集音部２２が集音している音声と、再生部１１が再生している楽曲とが同一である可能性が相対的に低いと推定される。集音部２２が集音している音声と再生部１１が再生している楽曲とが同一である可能性が相対的に低い場合には、音声を集音している携帯端末２０が、楽曲を再生しているＤＪ機器１０が設置されているロケーションに位置する可能性が相対的に低いと推定される。言い換えれば、集音部２２が集音している音声と再生部１１が再生している楽曲とが同一である可能性が相対的に低い場合には、音声を集音している携帯端末２０が、ＤＪ機器１０が再生している楽曲を視聴することができるロケーションに位置する可能性が相対的に低いと推定される。
【００７２】
従って、楽曲解析部２３の解析結果と楽曲情報とが一致しないと判定される場合には（ステップＳ２５：Ｎｏ）、位置推定部２５は、ステップＳ２４で通信部３１が受信した位置情報が示すロケーションに、携帯端末２０が位置していないと推定する（ステップＳ２７）。つまり、位置推定部２５は、ＤＪ機器１０が設置されているロケーションに、携帯端末２０が位置していないと推定する（ステップＳ２７）。
【００７３】
このように、本実施例の位置推定システム１では、携帯端末２０は、携帯端末２０が集音している音声の特性が、ＤＪ機器１０が再生している楽曲の特性と一致するか否かの判定結果に基づいて、携帯端末２０の位置を好適に推定することができる。つまり、携帯端末２０は、携帯端末２０が集音している音声の特性が、ＤＪ機器１０が再生している楽曲の特性と一致するか否かの判定結果に基づいて、ＤＪ機器１０が設置されているロケーションに携帯端末２０が位置するか否かを好適に推定することができる。
【００７４】
特に、本実施例では、携帯端末２０は、携帯端末２０の周囲の音声を利用して、携帯端末２０の位置を推定することができる。従って、本実施例の位置推定システム１は、特に、クラブ等の楽曲が流れている特定の空間（或いは、所望の楽曲が流れている任意の空間）に携帯端末２０が位置するか否を推定する際に極めて有益である。
【００７５】
加えて、本実施例の携帯端末２０は、ＧＰＳを利用しなくとも、携帯端末２０の位置を好適に推定することができる。従って、本実施例の携帯端末２０は、携帯端末２０がＧＰＳ衛星からの電波を受信することができない場合であっても、携帯端末２０の位置を好適に推定することができる。特に、クラブ等が建物内又は地下にあることに起因してクラブ等ではＧＰＳの利用が困難である場合が多いことを考慮すれば、本実施例の位置推定システム１は、クラブ等の楽曲が流れている特定の閉鎖空間に携帯端末２０が位置するか否を推定する際に極めて有益である。
【００７６】
加えて、本実施例では、携帯端末２０は、ＤＪ機器１０から送信される楽曲情報及び位置情報を受信することができる。このため、携帯端末２０は、携帯端末２０が集音する「音声の特性」と携帯端末２０が位置するであろう「ロケーション」との対応付けを好適に認識することができる。言い換えれば、携帯端末２０は、携帯端末２０が集音する「楽曲の特性」と当該楽曲が再生されている（つまり、楽曲を再生しているＤＪ機器１０が設置されている）「ロケーション」との対応付けを好適に認識することができる。従って、携帯端末２０は、携帯端末２０が集音している音声の特性が、ＤＪ機器１０から送信される楽曲情報と一致するか否かの判定結果に基づいて、ＤＪ機器１０が設置されているロケーションに携帯端末２０が位置するか否かを好適に推定することができる。
【００７７】
加えて、携帯端末２０は、ＤＪ機器１０から楽曲情報及び位置情報を受信するがゆえに、異なる楽曲情報及び位置情報のセットを適宜取得することができる。或いは、携帯端末２０は、楽曲情報及び位置情報のセットを複数取得することができる。このため、携帯端末２０が移動する（その結果、携帯端末２０が集音する音声が変わる）場合であっても、携帯端末２０は、携帯端末２０の位置を好適に推定することができる。例えば、携帯端末２０は、当初は、「Ｘ１」という特性を示す楽曲情報及び「Ｙ１」というロケーションを示す位置情報のセットを受信しているものとする。この場合には、携帯端末２０は、携帯端末２０が集音している音声の特性が「Ｘ１」という特性であるか否かの判定結果に基づいて、携帯端末２０が「Ｙ１」というロケーションに位置するか否かを推定することができる。その後、例えば、携帯端末２０の移動に合わせて、携帯端末２０は、「Ｘ２」という特性を示す楽曲情報及び「Ｙ２」というロケーションを示す位置情報のセットを新たに受信することになったものとする。この場合には、携帯端末２０は、携帯端末２０が集音している音声の特性が「Ｘ２」という特性であるか否かの判定結果に基づいて、携帯端末２０が「Ｙ２」というロケーションに位置するか否かを推定することができる。
【００７８】
或いは、携帯端末２０が異なる楽曲情報及び位置情報のセットを適宜取得する又は楽曲情報及び位置情報のセットを複数取得することができるがゆえに、携帯端末２０が静止している又は殆ど移動しない状況下で携帯端末２０の周辺の音声が時間の経過によって変わる場合であっても、携帯端末２０は、携帯端末２０の位置を好適に推定することができる。言い換えれば、携帯端末２０が静止している又は殆ど移動しない状況下でＤＪ機器１０が再生している楽曲が変更された場合であっても、携帯端末２０は、携帯端末２０の位置を好適に推定することができる。例えば、携帯端末２０は、当初は、「Ｘ１」という特性を示す楽曲情報及び「Ｙ１」というロケーションを示す位置情報のセットを受信しているものとする。この場合には、携帯端末２０は、携帯端末２０が集音している音声の特性が「Ｘ１」という特性であるか否かの判定結果に基づいて、携帯端末２０が「Ｙ１」というロケーションに位置するか否かを推定することができる。その後、例えば、時間の経過に合わせて、携帯端末２０は、「Ｘ２」という特性を示す楽曲情報及び「Ｙ１」というロケーションを示す位置情報のセットを新たに受信することになったものとする。この場合には、携帯端末２０は、携帯端末２０が集音している音声の特性が「Ｘ２」という特性であるか否かの判定結果に基づいて、携帯端末２０が「Ｙ１」というロケーションに位置するか否かを推定することができる。
【００７９】
尚、上述の説明では、携帯端末２０は、集音部２２が集音した音声の特性と再生部１１が再生する楽曲の特性とを比較することで、携帯端末２０の位置を推定している。しかしながら、携帯端末２０は、集音部２２が集音した音声の特性と再生部１１が再生する楽曲の特性とを比較することに加えて又は代えて、集音部２２が集音した音声と再生部１１が再生する楽曲とを直接的に又は間接的に比較することで、携帯端末２０の位置を推定してもよい。
【００８０】
また、上述の説明では、ＤＪ機器１０と携帯端末２０とを備える配信システム１を用いて説明を進めた。しかしながら、位置推定システム１は、ＤＪ機器１０に加えて又は代えて、任意のロケーションに設置されている任意の再生装置を備えていてもよい。位置推定システム１は、携帯端末２０に加えて又は代えて、任意のロケーションに位置する任意の端末装置を備えていてもよい。
【００８１】
（３）変形例
続いて、位置推定システムの変形例について説明する。尚、上述した位置推定システム１と同様の構成要素及び動作については、同一の参照符号及び同一のステップ番号を付することで、それらの詳細な説明を省略する。
【００８２】
（３−１）第１変形例の位置推定システム１ａ
初めに、図４から図６を参照して、第１変形例の位置推定システム１ａについて説明する。
【００８３】
（３−１−１）第１変形例の位置推定システム１ａの基本構成
初めに、図４を参照しながら、第１変形例の位置推定システム１ａの基本構成について説明する。図４は、第１変形例の位置推定システム１ａの基本構成を概念的に示すブロック図である。
【００８４】
図４に示すように、第１変形例の位置推定システム１ａは、上述した位置推定システム１と比較して、ＤＪ機器１０ａが操作内容解析部１５ａを更に備えており且つ携帯端末２０ａが解析結果修正部２６ａを更に備えていると言う点において異なっている。
【００８５】
操作内容解析部１５ａは、ＤＪの操作内容を解析する。操作内容解析部１５ａが解析したＤＪの操作内容を示す操作情報は、楽曲情報及び位置情報共に、ＤＪ機器１０ａから携帯端末２０ａに送信される。
【００８６】
解析結果修正部２６ａは、ＤＪ機器１０ａから送信される操作情報に基づいて、楽曲解析部２３の解析結果を修正する。この場合、比較部２４は、解析部２３の解析結果とＤＪ機器１０ａから送信される楽曲情報とを比較することに加えて又は代えて、解析結果修正部２６ａが修正した解析結果とＤＪ機器１０ａから送信される楽曲情報とを比較する操作内容を解析する。
【００８７】
以下、第１変形例のＤＪ機器１０ａ及び携帯端末２０ａの動作を説明しながら、操作内容解析部１５ａ及び解析結果修正部２６ａの動作の詳細について更に説明を加える。
【００８８】
（３−１−２）ＤＪ機器１０ａの動作
初めに、図５を参照しながら、第１変形例のＤＪ機器１０ａの動作について説明する。図５は、第１変形例のＤＪ機器１０ａの動作の流れを示すフローチャートである。
【００８９】
図５に示すように、第１変形例においても、上述した実施例と同様に、ＤＪ機器１０ａは、ステップＳ１１からステップＳ１３までの動作を行う。つまり、位置登録部１３が位置情報を登録し（ステップＳ１１）、再生部１１が楽曲を再生し（ステップＳ１２）、楽曲取得部１２楽曲情報を取得する（ステップＳ１３）。
【００９０】
その後、第１変形例では、操作内容解析部１５ａは、ＤＪの操作内容を解析する（ステップＳ１６ａ）。具体的には、例えば、操作内容解析部１５ａは、ＤＪ機器１０ａが備える操作子（例えば、ターンテーブルや、エフェクトボタン等の各種ボタンや、テンポスライダ等の各種スライダ）をＤＪがどのように操作しているかを解析する。この場合、操作内容解析部１５ａは、各種操作子から出力される操作信号を解析することで、ＤＪの操作内容を解析してもよい。操作内容解析部１５ａは、更に、解析したＤＪの操作内容を示す操作情報を生成する。
【００９１】
その後、通信部１４は、携帯端末２０ａが、ステップＳ１１で位置登録部１３が登録した位置情報、ステップＳ１６ａで操作内容解析部１５ａが生成した操作情報及びステップＳ１３で楽曲取得部１２が取得した楽曲情報の送信を要求しているか否かを判定する（ステップＳ１４ａ）。例えば、通信部１４は、携帯端末２０ａからＤＪ機器１０ａに対して、位置情報、操作情報及び楽曲情報の送信を要求する要求メッセージが送信されているか否かを判定してもよい。
【００９２】
ステップＳ１４ａの判定の結果、携帯端末２０ａが位置情報、操作情報及び楽曲情報の送信を要求していると判定される場合には（ステップＳ１４ａ：Ｙｅｓ）、通信部１４は、楽曲情報、操作情報及び位置情報を携帯端末２０ａに対して送信する（ステップＳ１５ａ）。尚、通信部１４は、楽曲情報、操作情報及び位置情報の全てをセットで携帯端末２０に対して送信することが好ましい。つまり、通信部１４は、楽曲情報、操作情報及び位置情報のうちの一部を携帯端末２０に対して送信すると共に楽曲情報、操作情報及び位置情報のうちの他の一部を携帯端末２０に対して送信しないという動作を行わないことが好ましい。
【００９３】
（３−１−３）携帯端末２０ａの動作
続いて、図６を参照しながら、第１変形例の携帯端末２０ａの動作について説明する。図６は、第１変形例の携帯端末２０ａの動作の流れを示すフローチャートである。
【００９４】
図６に示すように、第１変形例においても、上述した実施例と同様に、携帯端末２０ａは、ステップＳ２１からステップＳ２２までの動作を行う。つまり、集音部２２が携帯端末２０ａの周囲の音声を集音し（ステップＳ２１）、楽曲解析部２３が、集音部２２が集音した音声を解析する（ステップＳ２２）。
【００９５】
ステップＳ２１からステップＳ２２までの動作に続いて若しくは相前後して又は並行して、通信部２１は、ＤＪ機器１０ａに対して、位置情報、操作情報及び楽曲情報の送信を要求する（ステップＳ２３ａ）。例えば、通信部２１は、ＤＪ機器１０ａに対して、位置情報、操作情報及び楽曲情報の送信を要求する要求メッセージを送信してもよい。
【００９６】
このような要求メッセージに応答して、ＤＪ機器１０ａは、位置情報、操作情報及び楽曲情報を携帯端末２０ａに対して送信する（図５のステップＳ１５ａ）。従って、通信部２１は、ＤＪ機器１０ａが送信する位置情報、操作情報及び楽曲情報を受信する（ステップＳ２４ａ）。
【００９７】
その後、解析結果修正部２６ａは、ステップＳ２３ａで受信した操作情報に基づいて、ステップＳ２２での楽曲解析部２３の解析結果を修正する（ステップＳ２８ａ）。例えば、楽曲解析部２３が音声のテンポを取得する解析処理を行い、且つ、操作情報がテンポスライダの操作量を示している場合には、解析結果修正部２６ａは、楽曲解析部２３が取得した音声のテンポを、操作情報が示すテンポスライダの操作量に応じて修正する。というのも、楽曲解析部２３は集音部２２が実際に集音した音声を解析するため、楽曲解析部２３の解析結果には、ＤＪの操作内容が反映されている。一方で、ＤＪ機器１０から送信されてくる楽曲情報は、楽曲のデフォールトの特性を示しているがゆえに、ＤＪの操作内容が反映されていない。このため、操作情報に基づいて解析結果が修正されなければ、解析結果と楽曲情報とが一致すると判定されるべき状況下で、ＤＪの操作内容が反映された解析結果とＤＪの操作内容が反映されていない楽曲情報とが一致しないと判定されてしまうおそれがある。このため、解析結果修正部２６ａは、操作情報に基づいて解析結果を修正することで、ＤＪの操作内容が反映された解析結果を、ＤＪの操作内容が反映されていない解析結果に修正している。
【００９８】
尚、解析結果と楽曲情報とが一致すると判定されるべき状況下でＤＪの操作内容が反映された解析結果とＤＪの操作内容が反映されていない楽曲情報とが一致しない技術的不都合を解消すると言う点から見れば、解析結果修正部２６ａは、操作情報に基づいて解析結果を修正することに代えて、操作情報に基づいて楽曲情報を修正してもよい。つまり、解析結果修正部２６ａは、ＤＪの操作内容が反映されていない楽曲情報を、ＤＪの操作内容が反映された楽曲情報に修正してもよい。
【００９９】
その後、比較部２４は、ステップＳ２８ａで解析結果修正部２６ａが修正した解析結果楽曲解析部２３の解析結果（つまり、集音部２２が集音した音声の特性を操作情報に基づいて修正することで得られた新たな特性）と、ステップＳ２４で通信部２１が受信した楽曲情報（つまり、再生部１１が再生する楽曲の特性）とを比較する（ステップＳ２５ａ）。具体的には、比較部２４は、ステップＳ２８ａで解析結果修正部２６ａが修正した解析結果と、ステップＳ２４で通信部２１が受信した楽曲情報とが一致するか否かを判定する（ステップＳ２５ａ）。
【０１００】
ステップＳ２５ａの判定の結果、解析結果修正部２６ａが修正した解析結果と楽曲情報とが一致すると判定される場合には（ステップＳ２５ａ：Ｙｅｓ）、位置推定部２５は、ステップＳ２４で通信部３１が受信した位置情報が示すロケーションに、携帯端末２０が位置していると推定する（ステップＳ２６）。
【０１０１】
他方で、ステップＳ２５ａの判定の結果、解析結果修正部２６ａが修正した解析結果と楽曲情報とが一致しないと判定される場合には（ステップＳ２５ａ：Ｎｏ）、位置推定部２５は、ステップＳ２４で通信部３１が受信した位置情報が示すロケーションに、携帯端末２０が位置していないと推定する（ステップＳ２７）。
【０１０２】
このように、第１変形例の位置推定システム１ａにおいても、携帯端末２０ａは、ＤＪ機器１０が設置されているロケーションに携帯端末２０ａが位置するか否かを好適に推定することができる。
【０１０３】
尚、第１変形例で操作情報が用いられるのは、ＤＪ機器１０から携帯端末２０に送信されてくる楽曲情報が、楽曲のデフォールトの特性を示しているからである。一方で、ＤＪ機器１０は、楽曲のデフォールトの特性を示す楽曲情報に代えて、楽曲の特性を示す楽曲情報であって且つＤＪの操作内容が反映されている楽曲情報を取得してもよい。この場合には、操作情報が用いられなくてもよい。
【０１０４】
（３−２）第２変形例の位置推定システム１ｂ
続いて、図７を参照しながら、第２変形例の位置推定システム１ｂについて説明する。図７は、第２変形例の位置推定システム１ｂの基本構成を概念的に示すブロック図である。
【０１０５】
図７に示すように、第２変形例の位置推定システム１ｂは、上述した位置推定システム１と比較して、通信部３１ｂ及び格納部３２ｂを備えている処理サーバ３０ｂを更に備えていると言う点において異なっている。
【０１０６】
通信部３１ｂは、ネットワーク４０を介して、ＤＪ機器１０及び携帯端末２０の少なくとも一方と通信する。
【０１０７】
特に、通信部３１ｂは、ＤＪ機器１０が備える通信部１４が送信する楽曲情報及び位置情報を受信する。このため、第２変形例では、ＤＪ機器１０が備える通信部１４は、ＤＪ機器２０に加えて又は代えて処理サーバ３０ｂに対して、楽曲情報及び位置情報を送信する。通信部３１ｂが受信した楽曲情報及び位置情報は、例えばメモリ等である格納部３２ｂに格納される。
【０１０８】
更に、通信部３１ｂは、携帯端末２０が位置情報及び楽曲情報の送信を要求している場合には、格納部３２ｂに格納されている楽曲情報及び位置情報を携帯端末２０に対して送信する。このため、第２変形例では、携帯端末２０が備える通信部２１は、ＤＪ機器１０に加えて又は代えて処理サーバ３０ｂに対して、位置情報及び楽曲情報の送信を要求する。
【０１０９】
このように、第２変形例では、位置情報及び楽曲情報は、ＤＪ機器１０から携帯端末２０に対して直接的に送信されることに加えて又は代えて、ＤＪ機器１０から処理サーバ３０ｂを介して携帯端末２０に対して送信される。このような第２変形例の位置推定システム１ｂにおいても、携帯端末２０ｂは、ＤＪ機器１０ｂが設置されているロケーションに携帯端末２０ｂが位置するか否かを好適に推定することができる。
【０１１０】
尚、上述した第２変形例の説明では、処理サーバ３０ｂは、ＤＪ機器１０から位置情報及び楽曲情報を受信し、受信した位置情報及び楽曲情報を格納し、且つ、格納した位置情報及び楽曲情報を携帯端末２０に送信する機能を有している。
【０１１１】
しかしながら、処理サーバ３０ｂは、これらの機能に加えて又は代えて、ＤＪ機器１０の機能の少なくとも一部を有していてもよい。例えば、処理サーバ３０ｂは、ＤＪ機器１０が備える楽曲取得部１２を備えていてもよい。この場合、ＤＪ機器１０は、再生部１１が再生する楽曲を処理サーバ３０ｂに対して送信することが好ましく、且つ、楽曲取得部１２を備えていなくてもよい。従って、ＤＪ機器１０の処理負荷が相対的に低減される。
【０１１２】
或いは、処理サーバ３０ｂは、これらの機能に加えて又は代えて、携帯端末２０の機能の少なくとも一部を有していてもよい。例えば、処理サーバ３０ｂは、携帯端末２０が備える楽曲解析部２３、比較部２４及び位置推定部２５のうちの少なくとも一部を備えていてもよい。この場合、携帯端末２０は、集音部２２が集音した音声（或いは、楽曲解析部２３の解析結果又は比較部２４の比較結果）を処理サーバ３０ｂに対して送信することが好ましく、且つ、楽曲解析部２３、比較部２４及び位置推定部２５のうちの少なくとも他の一部を備えていなくてもよい。従って、携帯端末２０の処理負荷が相対的に低減される。
【０１１３】
また、第２変形例においても、第１変形例で説明した操作情報を用いる動作が適用されてもよい。
【０１１４】
本発明は、上述した実施例に限られるものではなく、請求の範囲及び明細書全体から読み取れる発明の要旨或いは思想に反しない範囲で適宜変更可能であり、そのような変更を伴なう位置推定装置及び方法、並びにコンピュータプログラムもまた本発明の技術的範囲に含まれるものである。
【符号の説明】
【０１１５】
１、１ａ、１ｂ  配信システム
１０  ＤＪ機器
１１  送信部
１２  楽曲取得部
１３  位置登録部
１４  通信部
１５ａ  操作内容解析部
２０  携帯端末
２１  通信部
２２  集音部
２３  楽曲解析部
２４  比較部
２５  位置推定部
２６ａ  解析結果修正部
３０ｂ  処理サーバ
３１ｂ  通信部
３２ｂ  格納部
【図１】
2015148441.tif 000003
【図２】
2015148441.tif 000004
【図３】
2015148441.tif 000005
【図４】
2015148441.tif 000006
【図５】
2015148441.tif 000007
【図６】
2015148441.tif 000008
【図７】
2015148441.tif 000009